(57)【要約】【課題】現金処理装置が取引制限中であっても金銭取扱装置からの現金の入出金における計数負担を減らすことを可能とする。【解決手段】現金を入金する入金口と、売上金額と前記入金された金額との差額を釣銭として出金する出金口と、現金を収納する現金収納庫と、前記現金収納庫における現金の補充または回収の金種別枚数を計数し、前記計数した金種別枚数情報を現金処理装置に送信するよう制御する制御部と、を備える、金銭取扱装置。【選択図】図１
2020194359.tif 000002
【特許請求の範囲】
【請求項１】
現金を入金する入金口と、
売上金額と前記入金された金額との差額を釣銭として出金する出金口と、
現金を収納する現金収納庫と、
前記現金収納庫における現金の補充または回収の金種別枚数を計数し、前記計数した金種別枚数情報を現金処理装置に送信するよう制御する制御部と、
を備える、金銭取扱装置。
【請求項２】
前記金種別枚数情報は、前記金銭取扱装置の識別情報と共に、前記現金処理装置に送信される、請求項１に記載の金銭取扱装置。
【請求項３】
前記現金は、紙幣であって、
前記現金収納庫は、紙幣収納庫であって、
前記金銭取扱装置は、前記紙幣の回収庫をさらに備え、
前記制御部は、前記紙幣収納庫から前記回収庫に移動した紙幣の金種別枚数を計数し、回収された当該紙幣の金種別枚数情報を、前記現金処理装置に送信するよう制御する、請求項１または２に記載の金銭取扱装置。
【請求項４】
前記現金は、硬貨であって、
前記現金収納庫は、硬貨収納庫であって、
前記出金口は、硬貨排出口であって、
前記制御部は、回収取引において前記硬貨収納庫から前記硬貨排出口に移動された硬貨の金種別枚数を計数し、回収された当該硬貨の金種別枚数情報を前記現金処理装置に送信するよう制御する、請求項１〜３のいずれか１項に記載の金銭取扱装置。
【請求項５】
前記現金は、紙幣であって、
前記現金収納庫は、紙幣収納庫であって、
前記入金口は、紙幣入出金口であって、
前記制御部は、補充取引において前記紙幣入出金口から前記紙幣収納庫に移動された紙幣の金種別枚数を計数し、当該紙幣の金種別枚数情報を前記現金処理装置に送信するよう制御する、請求項１〜４のいずれか１項に記載の金銭取扱装置。
【請求項６】
前記現金は、硬貨であって、
前記現金収納庫は、硬貨収納庫であって、
前記入金口は、硬貨投入口であって、
前記制御部は、補充取引において前記硬貨投入口から前記硬貨収納庫に移動された硬貨の金種別枚数を計数し、当該硬貨の金種別枚数情報を前記現金処理装置に送信するよう制御する、請求項１〜５のいずれか１項に記載の金銭取扱装置。
【請求項７】
現金を入出金する入出金口と、
前記入出金される現金を収納する現金収納庫と、
現金の入出金取引を制限している際、金銭取扱装置において行われた現金の補充または回収の金種別枚数情報を受信し、当該金種別枚数情報を、現金の入出金情報として用いる制御部と、
を備える、現金処理装置。
【請求項８】
前記制御部は、入出金取引を制限している際に、前記現金処理装置の前記現金収納庫へ直接現金の入出金が行われた場合、前記受信した金種別枚数情報を、前記現金収納庫へ直接入出金された現金の入出金情報として用いる、請求項７に記載の現金処理装置。
【請求項９】
前記制御部は、入金取引を制限している際に、前記金銭取扱装置において行われた現金の回収の金種別枚数情報を受信し、前記現金の入金情報として用いる、請求項７または８に記載の現金処理装置。
【請求項１０】
前記制御部は、出金取引を制限している際に、前記金銭取扱装置において行われた現金の補充の金種別枚数情報を受信し、前記現金の出金情報として用いる、請求項７〜９のいずれか１項に記載の現金処理装置。
【請求項１１】
前記制御部は、前記現金処理装置に入力された金銭取扱装置の識別情報に対応付けられた金種別枚数情報を受信し、前記入出金情報として用いるよう制御する、請求項７〜１０のいずれか１項に記載の現金処理装置。
【請求項１２】
前記制御部は、
前記現金収納庫から直接現金の出金が行われた場合、入力された金銭取扱装置の識別情報に、出金枚数未取得状態であることを対応付けて記憶し、
前記出金枚数未取得状態である金銭取扱装置の識別情報に対応付けられた金種別枚数情報を受信した場合、前記入出金情報として用いるよう制御する、請求項１１に記載の現金処理装置。
【請求項１３】
前記制御部は、入出金取引を制限している際の入出金に関し、前記現金収納庫への直接の入出金を案内する画面を表示するよう制御する、請求項７〜１２のいずれか１項に記載の現金処理装置。
【請求項１４】
現金を入金する入金口と、
売上金額と前記入金された金額との差額を釣銭として出金する出金口と、
現金を収納する現金収納庫と、
前記現金収納庫における現金の補充または回収の金種別枚数を計数し、前記計数した金種別枚数情報を現金処理装置に送信するよう制御する制御部と、
を有する金銭取扱装置と、
現金を入出金する入出金口と、
前記入出金される現金を収納する現金収納庫と、
現金の入出金取引を制限している際、金銭取扱装置において行われた現金の補充または回収の金種別枚数情報を受信し、当該金種別枚数情報を、現金の入出金情報として用いる制御部と、
を有する現金処理装置と、
を備える、現金処理システム。
【発明の詳細な説明】
【技術分野】
【０００１】
本発明は、金銭取扱装置、現金処理装置、および現金処理システムに関する。
【背景技術】
【０００２】
従来、デパートやスーパーマーケット等の流通店舗では、客が購入した商品の清算を行うために各売り場にレジスタを設置し、このレジスタを操作するレジ担当の店員を配置している。また、レジ担当の店員が操作してレジスタ毎に必要な現金（釣銭準備金）を払い出したり、店員がレジスタから回収した現金（売上金）を計数して入金処理したりする現金処理装置が普及している。
【０００３】
一方、店員が操作するレジスタも近年ではコンピュータ化が進み、客からの預かり金の入金や釣銭の放出を自動的に行う釣銭機を備えたＰＯＳ（Point  Of  Sales）レジスタが導入され、レジ担当の店員の負担を軽減している。
【０００４】
下記特許文献１では、このようなＰＯＳレジスタと、現金処理装置と、さらにＰＯＳレジスタおよび現金処理装置と通信接続する現金データ管理装置とを有する現金管理システムが開示されている。かかるシステムでは、ＰＯＳレジスタに接続されている釣銭機から現金の回収が行われるとき、現金データ管理装置が、釣銭機における金種毎の釣銭用現金の有高枚数と金種毎の釣銭必要枚数に従って回収する現金の金種と枚数を算出して釣銭機に通知する。これにより釣銭機は、通知された金種の枚数に従って余剰分の現金のみ回収処理することができ、釣銭資金を有効に運用することができる。
【先行技術文献】
【特許文献】
【０００５】
【特許文献１】特開２００８−１９７８３１号公報
【発明の概要】
【発明が解決しようとする課題】
【０００６】
しかし、現金処理装置に故障が発生し、入金や出金が制限された場合、現金処理装置において入金や釣銭準備金の払い出しが出来なくなるという問題があった。この場合、人手または別の装置により計数したり現金を保管したりする必要があった。また、故障前と故障後の取引分を集計しなければならず、利用者に大きな負担が生じていた。
【０００７】
そこで、本発明は、上記問題に鑑みてなされたものであり、本発明の目的とするところは、現金処理装置が取引制限中であっても金銭取扱装置からの現金の入出金における計数負担を減らすことが可能な、新規かつ改良された金銭取扱装置、現金処理装置、および現金処理システムを提供することにある。
【課題を解決するための手段】
【０００８】
上記課題を解決するために、本発明のある観点によれば、現金を入金する入金口と、売上金額と前記入金された金額との差額を釣銭として出金する出金口と、現金を収納する現金収納庫と、前記現金収納庫における現金の補充または回収の金種別枚数を計数し、前記計数した金種別枚数情報を現金処理装置に送信するよう制御する制御部と、を備える、金銭取扱装置が提供される。
【０００９】
また、前記金種別枚数情報は、前記金銭取扱装置の識別情報と共に、前記現金処理装置に送信されてもよい。
【００１０】
また、前記現金は、紙幣であって、前記現金収納庫は、紙幣収納庫であって、前記金銭取扱装置は、前記紙幣の回収庫をさらに備え、前記制御部は、前記紙幣収納庫から前記回収庫に移動した紙幣の金種別枚数を計数し、回収された当該紙幣の金種別枚数情報を、前記現金処理装置に送信するよう制御してもよい。
【００１１】
また、前記現金は、硬貨であって、前記現金収納庫は、硬貨収納庫であって、前記出金口は、硬貨排出口であって、前記制御部は、回収取引において前記硬貨収納庫から前記硬貨排出口に移動された硬貨の金種別枚数を計数し、回収された当該硬貨の金種別枚数情報を前記現金処理装置に送信するよう制御してもよい。
【００１２】
また、前記現金は、紙幣であって、前記現金収納庫は、紙幣収納庫であって、前記入金口は、紙幣入出金口であって、前記制御部は、補充取引において前記紙幣入出金口から前記紙幣収納庫に移動された紙幣の金種別枚数を計数し、当該紙幣の金種別枚数情報を前記現金処理装置に送信するよう制御してもよい。
【００１３】
また、前記現金は、硬貨であって、前記現金収納庫は、硬貨収納庫であって、前記入金口は、硬貨投入口であって、前記制御部は、補充取引において前記硬貨投入口から前記硬貨収納庫に移動された硬貨の金種別枚数を計数し、当該硬貨の金種別枚数情報を前記現金処理装置に送信するよう制御してもよい。
【００１４】
また、上記課題を解決するために、本発明の別の観点によれば、現金を入出金する入出金口と、前記入出金される現金を収納する現金収納庫と、現金の入出金取引を制限している際、金銭取扱装置において行われた現金の補充または回収の金種別枚数情報を受信し、当該金種別枚数情報を、現金の入出金情報として用いる制御部と、を備える、現金処理装置が提供される。
【００１５】
また、前記制御部は、入出金取引を制限している際に、前記現金処理装置の前記現金収納庫へ直接現金の入出金が行われた場合、前記受信した金種別枚数情報を、前記現金収納庫へ直接入出金された現金の入出金情報として用いてもよい。
【００１６】
また、前記制御部は、入金取引を制限している際に、前記金銭取扱装置において行われた現金の回収の金種別枚数情報を受信し、前記現金の入金情報として用いてもよい。
【００１７】
また、前記制御部は、出金取引を制限している際に、前記金銭取扱装置において行われた現金の補充の金種別枚数情報を受信し、前記現金の出金情報として用いてもよい。
【００１８】
また、前記制御部は、前記現金処理装置に入力された金銭取扱装置の識別情報に対応付けられた金種別枚数情報を受信し、前記入出金情報として用いるよう制御してもよい。
【００１９】
また、前記制御部は、前記現金収納庫から直接現金の出金が行われた場合、入力された金銭取扱装置の識別情報に、出金枚数未取得状態であることを対応付けて記憶し、前記出金枚数未取得状態である金銭取扱装置の識別情報に対応付けられた金種別枚数情報を受信した場合、前記入出金情報として用いるよう制御してもよい。
【００２０】
また、前記制御部は、入出金取引を制限している際の入出金に関し、前記現金収納庫への直接の入出金を案内する画面を表示するよう制御してもよい。
【００２１】
また、上記課題を解決するために、本発明の別の観点によれば、現金を入金する入金口と、売上金額と前記入金された金額との差額を釣銭として出金する出金口と、現金を収納する現金収納庫と、前記現金収納庫における現金の補充または回収の金種別枚数を計数し、前記計数した金種別枚数情報を現金処理装置に送信するよう制御する制御部と、を有する金銭取扱装置と、現金を入出金する入出金口と、前記入出金される現金を収納する現金収納庫と、現金の入出金取引を制限している際、金銭取扱装置において行われた現金の補充または回収の金種別枚数情報を受信し、当該金種別枚数情報を、現金の入出金情報として用いる制御部と、を有する現金処理装置と、を備える、現金処理システムが提供される。
【発明の効果】
【００２２】
以上説明したように本発明によれば、現金処理装置が取引制限中であっても金銭取扱装置からの現金の入出金における計数負担を減らすことを可能とする。
【図面の簡単な説明】
【００２３】
【図１】本発明の実施形態による現金管理システムのシステム構成例を示す図である。
【図２】本実施形態による現金処理装置の構成の一例を示すブロック図である。
【図３】本実施形態による現金処理装置の構造を示す概略側面図である。
【図４】本実施形態による釣銭機の構成の一例を示すブロック図である。
【図５】本実施形態による紙幣処理部の機構を示す概略側面図である。
【図６】本実施形態による硬貨処理部の機構を示す概略平面図である。
【図７】本実施形態による入金における動作処理の流れの一例を示すシーケンス図である。
【図８】本実施形態による出金における動作処理の流れの一例を示すシーケンス図である。
【発明を実施するための形態】
【００２４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２５】
＜１．システム構成＞
本発明の実施形態は、主に、現金処理装置と、店頭に設置される各金銭取扱装置とのデータの送受信に基づいた、金銭取扱装置からの現金の入出金計数に関する。以下では、本システムおよび各装置の構成を説明した後に、本発明の実施形態による動作処理について詳細に説明する。
【００２６】
図１は、本発明の実施形態による現金管理システムのシステム構成例を示す図である。本実施形態による現金管理システムは、図１に示すように、流通店舗の店頭に設置される複数のＰＯＳレジスタ（以下、単にレジスタと称す）２と、バックヤードに置かれる管理装置４および現金処理装置１が、ＬＡＮ５により接続される構成を有する。各レジスタの下部には、売上金の入金や釣銭の放出処理を行う釣銭機３（金銭取扱装置の一例）がそれぞれ設けられている。釣銭機３は、レジスタ２に接続されて入出金処理を行う。
【００２７】
＜２．現金処理装置１の構成＞
図２は、本実施形態による現金処理装置１の構成の一例を示すブロック図である。図２に示すように、現金処理装置１は、制御部１００、操作表示部１１０、カードリーダ部１２０、通信部１３０、紙幣処理部１４０、硬貨処理部１５０、および記憶部１６０を有する。
【００２８】
制御部１００は、例えば、ＣＰＵ（Ｃｅｎｔｒａｌ  Ｐｒｏｃｅｓｓｉｎｇ  Ｕｎｉｔ）等を中心に構成されており、現金処理装置１の各機能部を制御して、各種の取引を実行する。例えば制御部１００は、釣銭出金取引、売上入金取引、計数取引、および精算集計取引等を実行し得る。「釣銭出金取引」とは、釣銭準備金として収納している現金から釣銭の出金を行う取引である。また、「売上入金取引」は、釣銭および売上金を含む現金（例えば、キャッシュレジスターに収納されていた現金）の入金を受付ける取引である。「計数取引」は、投入された現金の鑑別および計数を行いその結果を出力する取引である。「精算集計取引」は、取引履歴（釣銭出金取引および売上入金取引等）に基づいて売上金を集計し、売上金を回収カセット１７（図３参照）、および硬貨回収庫２５（図３参照）に移動させる取引である。
【００２９】
操作表示部１１０は、レジ担当の店員等の利用者による操作の誘導画面を表示する表示部および利用者が操作入力を行うための入力部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、入力部としての機能は例えばタッチパネルにより実現される。なお、図２および図３においては表示部および入力部の機能が現金処理装置１において一体的に構成される例を示しているが、表示部および入力部の機能は分離して構成されてもよい。
【００３０】
カードリーダ部１２０は、カード挿入排出口（不図示）に挿入されたＩＤカードから、操作する権限を証明するためのＩＤ等のカード情報を読み取る。なお、本発明は係る例に限定されず、カードリーダ部に代えて、または加えて、指紋を認識する指紋認識部や、暗証番号を入力する暗証番号入力部が設けられていてもよい。
【００３１】
通信部１３０は、例えば専用網（ＬＡＮ５など）を介して、管理装置４またはレジスタ２と、データの送受信を行う。また、通信部１３０は、釣銭機３から出力されたデータを、釣銭機３と接続するレジスタ２から受信し得る。
【００３２】
紙幣処理部１４０は、紙幣入出金口１１（図３参照）から受け入れた紙幣の入金処理および紙幣入出金口１１への紙幣の払い出し処理を行う。硬貨処理部１５０は、硬貨投入口１９から受け入れた硬貨の入金処理および硬貨出金箱２４等への硬貨の払い出し処理を行う。
【００３３】
記憶部１６０は、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等から実現され、現金処理装置１の動作を制御するための制御プログラムや、現金処理装置１の取引時における入力データ、表示画面等を格納する。
【００３４】
図３は、現金処理装置１の構造を示す概略側面図である。図３に示すように、現金処理装置１の上面には、紙幣入出金口１１、カードリーダ部１２０、操作表示部１１０、および硬貨投入口１９が設けられ、現金処理装置１の内部には、紙幣処理部１４０および硬貨処理部１５０を有する。
【００３５】
紙幣処理部１４０は、紙幣入出金口１１、紙幣一時保留部１２、紙幣鑑別部１３、万券カセット１４、五千券カセット１５、千券カセット１６、回収カセット１７、およびリジェクト部１８を有する。紙幣入出金口１１は、紙幣を投入するための投入口と、釣銭出金取引において紙幣を出金するための出金口と、入金がリジェクトされた紙幣を返却したりするための返却口と、を兼ねている。紙幣一時保留部１２は、入金計数時および売上金作成時に一時的に紙幣を集積するものである。紙幣鑑別部１３は、投入された紙幣の真偽、金種、正損等を鑑別するものである。
【００３６】
万券カセット１４、五千券カセット１５および千券カセット１６は、それぞれ万券、五千券、千券を釣銭準備金として収納しておくものであり、それぞれがいわゆるリサイクルカセットで構成されているものとする。売上入金で正券と鑑別された紙幣は、リサイクルカセットに収納され、釣銭出金時にリサイクルカセットから出金される。また、現金処理装置１は、万券カセット１４、五千券カセット１５、千券カセット１６の代わりに、現金処理装置１が取り扱うべき各種紙幣に対応したものを備えていてもよい。
【００３７】
回収カセット１７は、精算集計時には万券カセット１４、五千券カセット１５、および千券カセット１６から、売上金を移動し、収納するものである。
【００３８】
リジェクト部１８は、売上入金時に紙幣一時保留部１２からリサイクルカセットへ収納するときのリジェクト紙幣と、リサイクルカセットから釣銭出金するときのリジェクト紙幣と、売上金作成でリサイクルカセットから回収カセット１７へ移動するときのリジェクト紙幣とを集積するものである。
【００３９】
硬貨処理部１５０は、硬貨投入口１９、硬貨鑑別部２０、硬貨一時保留部２１、硬貨返却箱２２、出金ホッパ２３、硬貨出金箱２４、および硬貨回収庫２５を有する。硬貨投入口１９は、利用者が硬貨を入金するための投入口である。硬貨鑑別部２０は、投入された硬貨の画像データを読み取り、硬貨の真偽、金種、正損等の鑑別を行うものである。硬貨一時保留部２１は、入金計数時に一時的に硬貨を集積するものである。硬貨返却箱２２は、計数取引および売上入金取引の取消しにより硬貨を返却するものである。
【００４０】
出金ホッパ２３は、硬貨の釣銭準備金を収納しておくものである。硬貨出金箱２４は、釣銭出金時取引において利用者に硬貨を出金するための硬貨出金口である。売上入金で正常と識別された硬貨は、出金ホッパ２３に収納され、釣銭出金時に出金ホッパ２３から出金される。硬貨回収庫２５は、精算集計時に出金ホッパ２３から売上金を移動し、収納するものである。
【００４１】
なお、万券カセット１４、五千券カセット１５、千券カセット１６、回収カセット１７、出金ホッパ２３および硬貨回収庫２５は、セキュリティ性を高めるために、鍵を備えていてもよい。
【００４２】
＜３．釣銭機３の構成＞
図４は、本実施形態による釣銭機３の構成の一例を示すブロック図である。図４に示すように、釣銭機３は、制御部３００、操作表示部３１０、通信部３２０、紙幣処理部３３０、硬貨処理部３４０、および記憶部３５０を有する。
【００４３】
制御部３００は、例えば、ＣＰＵ（Ｃｅｎｔｒａｌ  Ｐｒｏｃｅｓｓｉｎｇ  Ｕｎｉｔ）等を中心に構成されており、釣銭機３の各機能部を制御して、各種の取引を実行する。例えば制御部３００は、売上金額と入金された金額との差額を釣銭として放出する処理を行う。
【００４４】
操作表示部３１０は、レジ担当の店員が入力に用いるキー等の操作部と、店員が入力した内容や装置の情報等を表示する表示部としての機能を包含する。操作部および表示部の機能が釣銭機３において一体的に構成されていてもよいし、操作部および表示部の機能は分離して構成されてもよい。通信部３２０は、有線または無線を介してレジスタ２と通信接続し、データの送受信を行う。
【００４５】
紙幣処理部３３０は、投入された紙幣の入金処理および紙幣の出金処理を行う。硬貨処理部３４０は、投入された硬貨の入金処理および硬貨の出金処理を行う。紙幣処理部３３０および硬貨処理部３４０の構造については、図５および図６を参照して後述する。
【００４６】
記憶部３５０は、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等から実現され、釣銭機３の動作を制御するための制御プログラムや、釣銭機３の取引時における入力データ、表示画面等を格納する。
【００４７】
続いて、紙幣処理部３３０および硬貨処理部３４０の機構について簡単に説明する。なお以下では、レジ担当の店員が対峙する側面およびその反対面をそれぞれ前面および後面とし、さらに当該店員から見て左右および上下を定義して説明する。
【００４８】
（紙幣処理部３３０の構造）
図５は、紙幣処理部３３０の機構を示す概略側面図である。紙幣入出金口３１、繰り出し手段３２、紙幣搬送路３３、紙幣鑑別部３４、リジェクト収納部３５、紙幣収納庫３６ａ、３６ｂ、３６ｃ、および回収カセット３８を有する。
【００４９】
紙幣処理部３３０の紙幣入出金口３１は、投入された紙幣を１枚ずつ分離して紙幣搬送路３３に繰り出すための繰り出し手段３２を備えている。紙幣搬送路３３は、対向配置されたローラあるいはベルト等により構成されている。そして、紙幣搬送路３３は、紙幣入出金口３１から繰り出された紙幣を挟持して正逆方向に搬送する機能を有している。
【００５０】
紙幣搬送路３３は、紙幣鑑別部３４を経由して紙幣収納庫３６ａ、３６ｂ、３６ｃ、回収カセット３８、リジェクト収納部３５へ紙幣を搬送する。紙幣鑑別部３４は、紙幣入出金口３１から搬送されてきた紙幣の金種や正損を鑑別する機能を有する。
【００５１】
紙幣収納庫３６ａ、３６ｂ、３６ｃは、図示しないステージを有し、そのステージ上に紙幣を落下させて集積する。例えば紙幣収納庫３６ａは千円券を収納し、紙幣収納庫３６ｂには５千円券、紙幣収納庫３６ｃには２千円券と１万円券を混在させて収納するようにしてもよい。また、紙幣収納庫３６ａ、３６ｂは顧客に釣銭として用いる紙幣を収納する釣銭用紙幣収納庫としても運用されているものとし、釣銭用として予め準備された釣銭準備金である紙幣が店員によって収納される。紙幣搬送路３３は、釣銭紙幣を排出する際、紙幣収納庫３６ａ、３６ｂ、３６ｃに収納した紙幣を紙幣入出金口３１へ搬送する。
【００５２】
紙幣を補充する際、レジ担当の店員は、バックヤードの現金処理装置１から釣銭準備金として出金された紙幣を人手により運び、担当するレジスタ２の釣銭機３に設けられた紙幣入出金口３１から投入する。投入された紙幣は、繰り出し手段３２により１枚ずつ分離されて紙幣搬送路３３に繰り出され、紙幣鑑別部３４を経由して紙幣収納庫３６ａ、３６ｂ、３６ｃにそれぞれ金種別に収納される。
【００５３】
また、紙幣収納庫３６ａ、３６ｂ、３６ｃに収納した紙幣を回収する際、紙幣搬送路３３は、紙幣収納庫３６ａ、３６ｂ、３６ｃに収納した紙幣を回収カセット３８へ搬送する。回収カセット３８は、紙幣処理部３３０の前面下部に一側面が外部に突設された状態で、取り外し可能となるように収納されている。店員は、回収カセット３８を取り外して紙幣を受け取り、現金処理装置１まで運び、現金処理装置１に入金する。
【００５４】
リジェクト収納部３５は、入金処理時に欠損等によって釣銭に適さないと鑑別された紙幣や出金処理で斜行や重送等の異常搬送によって釣銭に適さないと鑑別された紙幣などのリジェクト紙幣を収納している。
【００５５】
（硬貨処理部３４０の構造）
図６は、硬貨処理部３４０の機構を示す概略平面図である。図６に示すように、硬貨処理部３４０の前側には、媒体としての硬貨を投入する硬貨投入口４０、正常でないと鑑別された（すなわちリジェクトされた）硬貨を排出する硬貨リジェクト口４３、および釣銭としての硬貨を排出する硬貨排出口４８が設けられている。
【００５６】
硬貨投入口４０は、すり鉢状にえぐられたような形状に形成されると共に、その底部に硬貨を１枚ずつ排出する排出機構（図示せず）が組み込まれている。また硬貨投入口４０には、所定箇所に硬貨の有無を検出する光学素子（図示せず）が組み込まれており、その検出結果を制御部３００へ通知するようになされている。実際の精算処理において、レジ担当の店員等が顧客から商品の代金として硬貨を預かると、この硬貨は、レジ係員等によりまとめて硬貨投入口４０へ投入される。硬貨投入口４０は、光学素子により硬貨が投入されたことを検出すると、制御部３００の制御に基づき、硬貨を１枚ずつ硬貨鑑別部４１に受け渡す。
【００５７】
硬貨鑑別部４１は、硬貨の金種（例えば１円、５円、１０円、５０円、１００円および５００円の６種類）および真偽等を鑑別し、異常であれば当該硬貨を硬貨リジェクト口４３へ送出し、正常であれば当該硬貨を搬送部４２に受け渡す。また硬貨鑑別部４１は、硬貨の鑑別結果を制御部３００へ通知する。
【００５８】
搬送部４２は、無端状のゴムベルトをステッピングモータやプーリ等（いずれも図示せず）により駆動し、当該ゴムベルトにより硬貨を平滑に形成された搬送面上で後方へ向けて搬送する。搬送面には、前方から後方へ向かうに連れて、硬貨の金種ごとの直径よりも僅かに大きな孔径でなる選別孔（図示せず）が順次穿設されている。選別孔は、それぞれ硬貨を収納する硬貨収納庫４５ａ、４５ｂ、４５ｃ、４５ｄ、４５ｅおよび４５ｆと連通されている。これにより、搬送部４２は、搬送面上において硬貨を後方へ向けて進行させると共に、当該硬貨と対応する孔径でなる選別孔からそれぞれ落下させ、当該硬貨をそれぞれの金種に対応した硬貨収納庫４５ａ〜４５ｆに収納させる。硬貨収納庫４５ａ〜４５ｆは、それぞれ硬貨を積層して収納するようになされており、また制御部３００の制御に基づき、収納している硬貨を図示しない排出機構により搬送部４７へ１枚ずつ排出する。
【００５９】
実際上、制御部３００は、釣銭として顧客に渡すべき金額に応じて硬貨の種類および枚数を決定した上で、決定した種類および枚数の硬貨を硬貨収納庫４５ａ〜４５ｆからそれぞれ排出させる。
【００６０】
搬送部４７は、無端ベルト、ステッピングモータおよびプーリ等（いずれも図示せず）により構成されており、硬貨収納庫４５ａ〜４５ｆから排出された硬貨を前方へ搬送し、硬貨排出口４８へ落とし込む。
【００６１】
硬貨排出口４８は、硬貨処理部３４０の前面下部から前方へ突出すると共に上部中央が椀状にえぐられたような形状でなり、搬送部４７から落とし込まれた硬貨を受け止めて保持すると共に、前上方から容易に取り出せるようになされている。硬貨排出口４８内に落とし込まれた硬貨は、硬貨処理部３４０の前方に対峙する店員により取り出され、釣銭として顧客に渡される。
【００６２】
硬貨を補充する際、レジ担当の係員は、バックヤードの現金処理装置１から釣銭準備金として出金された硬貨を人手により運び、担当するレジスタの釣銭機３に設けられた硬貨投入口４０から投入する。投入された硬貨は、硬貨鑑別部４１を経由して硬貨収納庫４５ａ〜４５ｆに金種別に収納される。
【００６３】
また、硬貨収納庫４５ａ〜４５ｆに収納された硬貨を回収する際、制御部３００の制御に従って、搬送部４７は、硬貨収納庫４５ａ〜４５ｆから排出された硬貨を前方へ搬送し、硬貨排出口４８へ落とし込む。なお、硬貨排出口４８の下部に回収袋を設置し、硬貨排出口４８に排出された硬貨を、硬貨排出口４８底部に設けられた開閉可能な開口部（不図示）から回収袋に落として回収することも可能である。店員は、回収袋を取り外して現金処理装置１まで運び、現金処理装置１に入金する。
【００６４】
＜４．課題の整理＞
通常、釣銭機３からの現金の回収は、例えば釣銭機３が有する現金収納庫（紙幣収納庫３６ａ、３６ｂ、３６ｃ、硬貨収納庫４５ａ〜４５ｆ）が満杯になった際や、レジ担当の交代時、またはレジ締めの際に、レジ担当の店員により行われる。具体的には、釣銭機３からの紙幣の回収は回収カセット３８から行われ、硬貨の回収は硬貨排出口４８から行われる。そして、店員は、回収した現金を現金処理装置１まで運び、現金処理装置１に入金する。具体的には、ＩＤカードやテンキー操作によりレジ担当者またはレジスタのＩＤを入力した上で、操作表示部１１０を操作し、メニュー画面から「売上入金取引」を選択する。次いで、紙幣であれば紙幣入出金口１１から投入し、硬貨であれば硬貨投入口１９から投入する。現金処理装置１は、投入された現金の鑑別および計数を行い、それぞれ金種別に、紙幣であればリサイクルカセット（万券カセット１４、五千券カセット１５、千券カセット１６）、硬貨であれば出金ホッパ２３に収納し、保管する。
【００６５】
また、釣銭機３への現金の補充は、例えば釣銭機３の釣銭が足りなくなった際や、営業時間前、または交代時等に、現金処理装置１から出金された釣銭準備金をレジ担当の店員が運び（紙幣は紙幣入出金口１１から出金され、硬貨は硬貨出金箱２４から出金される）、釣銭機３に補充する（釣銭機３において、紙幣は紙幣入出金口３１から投入し、硬貨は硬貨投入口４０から投入する）。なお釣銭準備金の出金は、現金処理装置１において、紙幣であればリサイクルカセット（万券カセット１４、五千券カセット１５、千券カセット１６）から紙幣入出金口１１に出金され、硬貨であれば出金ホッパ２３から硬貨出金箱２４に出金される。現金処理装置１は、それぞれの現金を出金する際に計数を行い、出金枚数（出金取引）を記憶部１６０に記憶する。
【００６６】
ここで、現金処理装置１に故障が発生し（特に紙幣入出金口１１、硬貨投入口１９、硬貨出金箱２４といった現金の入金箇所や出金箇所の故障）、現金処理装置１における入金取引や出金取引が制限された場合、売上入金や釣銭準備金の出金が出来なくなるという問題があった。この場合、従来は、釣銭機から回収した売上金を人手または別の装置により計数し、保管する必要があった。
【００６７】
また、釣銭機への補充は、現金処理装置の現金収納庫（リサイクルカセット、出金ホッパ２３）を開錠して直接現金を取り出して補充することも考え得るが、この場合も人手または別の装置により計数し、出金枚数を記録しておく必要があった。また、現金を別途の金庫等で保管する場合、金庫の鍵の管理も人手で実施しなくてはならなかった。さらに、故障前の取引分の集計結果と故障後の取引分の集計結果を合計するといった作業も発生し、利用者に大きな負担が生じていた。
【００６８】
そこで、本実施形態では、現金処理装置１と釣銭機３との間でデータの送受信を行い、現金処理装置１が取引制限中であっても、釣銭機３（金銭取扱装置の一例）との現金の入出金（すなわち、釣銭機３から回収した売上金の現金処理装置１への入金や、釣銭機３に補充する釣銭準備金の現金処理装置１からの出金）に関する計数負担を減らすことを可能とする仕組みを提案する。
【００６９】
＜５．動作処理＞
（５−１．入金における動作処理）
まず、現金処理装置１において入出金取引が制限された場合における、釣銭機３から回収した現金（売上金および釣銭）の人手や別装置による計数、金庫での保管、後の集計処理といった手間を省くことを可能とする本実施形態の仕組みについて、図７を参照して説明する。
【００７０】
図７は、本実施形態による入金における動作処理の流れの一例を示すシーケンス図である。
【００７１】
図７に示すように、釣銭機３において現金の抜き取り（具体的には、紙幣の場合は回収カセット３８の抜き取り、硬貨の場合は硬貨排出口４８からの回収）が発生すると（ステップＳ１０３）、釣銭機３は、金種別の抜き取り枚数情報（回収取引時に釣銭機３において計数した情報）をレジスタ２に送信する（ステップＳ１０６）。
【００７２】
次に、レジスタ２は、レジスタ２の識別情報であるレジＩＤと、金種別の抜き取り枚数情報を、管理装置４に送信する（ステップＳ１０９）。
【００７３】
次いで、管理装置４は、受信した情報を記憶する（ステップＳ１１２）。なお管理装置４は、レジＩＤおよび金種別の抜き取り枚数情報を、時間情報（抜き取り時間または受信時間等）と共に記憶してもよい。
【００７４】
以上説明したステップＳ１０３〜Ｓ１１２に示す処理は、現金処理装置１が取引制限中か否かに関わらず常に行うようにしてもよいし、現金処理装置１が取引制限中の場合にのみに行うようにしてもよい。
【００７５】
続いて、現金処理装置１は、現金の入金箇所や出金箇所の故障等により入出金取引の制限が発生すると（ステップＳ１１５）、入金取引に関し、扉を開錠して現金収納庫（リサイクルカセット、出金ホッパ２３）へ直接現金を収納する「直接入金」の誘導を行う（ステップＳ１１６）。ここでは、レジ担当の店員が、担当するレジスタ４の釣銭機３から現金を回収し、現金処理装置１まで運び、現金処理装置１の操作表示部１１０に表示されたメニュー画面から「売上入金取引」を選択した場合を想定する。この場合、現金処理装置１は、「入金取引に制限がかかっているため、扉を開けて入金してください。」というような案内画面を表示する。案内画面には、リサイクルカセットおよび出金ホッパ２３の「開錠ボタン」を表示させてもよい。リサイクルカセットおよび出金ホッパ２３の開錠は、現金処理装置１により操作者の認証を行った上で開錠制御するようにしてもよい。例えば、店員が所持するＩＤカードからカードリーダ部１２０により読み取ったＩＤ情報等により認証を行ってもよい。
【００７６】
次に、現金処理装置１は、店員がリサイクルカセットや出金ホッパ２３の扉を開けて直接入金が行われた際の「レジＩＤ」を取得する（ステップＳ１１８）。レジＩＤは、店員が所持するＩＤカードからカードリーダ部１２０により読み取ってもよいし、店員のＩＤに予め紐付けられたレジＩＤを管理装置４から取得してもよい（どの店員が現在どのレジスタを担当しているかを管理装置４により管理するようにしておいてもよい）。または、店員が操作表示部１１０を操作して手動で入力してもよい。
【００７７】
次いで、現金処理装置１は、取得したレジＩＤに対応する金種別の抜き取り枚数情報を管理装置４に要求する（ステップＳ１２１）。店員が釣銭機３から現金を回収した時点で、ステップＳ１０３〜Ｓ１１２に示すように、管理装置４には、レジＩＤに対応付けて釣銭機３から回収した金種別の枚数情報が記憶されている。
【００７８】
管理装置４は、要求に応じて、該当するレジＩＤに対応する金種別の抜き取り枚数情報を現金処理装置１に送信する（ステップＳ１２４）。これにより、現金処理装置１は、釣銭機３で計数された釣銭機３からの金種別の抜き取り枚数情報、すなわち店員が釣銭機３から回収して運んできた現金の枚数情報を取得することができる。なお管理装置４において、該当するレジＩＤにおけるその日一日のすべての抜き取り枚数情報が記憶されている場合、管理装置４は、時間情報に基づいて、最新のデータを現金処理装置１に送信するようにしてもよい。
【００７９】
そして、現金処理装置１は、管理装置４から受信した金種別の抜き取り枚数情報を、上記ステップＳ１１８において行われた現金収納庫（リサイクルカセット、出金ホッパ２３）への直接入金の金種別枚数情報として使用する（ステップＳ１２７）。すなわち、現金処理装置１では入出金取引が制限され、現金収納庫に直接入金された現金を計数することができないが、釣銭機３で計数された金種別の抜き取り枚数情報を、当該直接入金された現金の情報として用いることで、直接入金する現金の人手による計数や集計、別装置での保管といった手間を省くことが可能となる。
【００８０】
なお、ここでは現金処理装置１に直接入金して保管する場合について説明したが、本実施形態はこれに限定されず、入金する現金の保管は別装置で行い、現金処理装置１では管理装置４から取得した当該現金の枚数情報のみを扱うようにしてもよい。これにより、取引制限中の売上入金分は別で保管しつつも、すべての集計を現金処理装置１で行うことが可能となる。
【００８１】
また、現金処理装置１は、取引制限中ではない場合も管理装置４から抜き取り枚数情報を取得し、現金処理装置１において（通常通り）売上入金取引を行った際の現金の計数結果と比較して一致しているか否かを確認するようにしてもよい。
【００８２】
（５−２．出金における動作処理）
次に、現金処理装置１において入出金取引が制限された場合における、釣銭機３への釣銭準備金の出金の人手や別装置による計数、後の集計処理といった手間を省くことを可能とする本実施形態の仕組みについて、図８を参照して説明する。
【００８３】
図８は、本実施形態による出金における動作処理の流れの一例を示すシーケンス図である。
【００８４】
図８に示すように、現金処理装置１は、現金の入金箇所や出金箇所の故障等により入出金取引の制限が発生すると（ステップＳ２０３）、出金取引に関し、扉を開錠して現金収納庫（リサイクルカセット、出金ホッパ２３）から直接現金を取り出す「直接出金」の誘導を行う（ステップＳ２０４）。ここでは、レジ担当の店員が、担当するレジスタ４の釣銭機３に釣銭準備金を補充するため、現金処理装置１の操作表示部１１０に表示されたメニュー画面から「釣銭出金取引」を選択した場合を想定する。この場合、現金処理装置１は、「出金取引に制限がかかっているため、扉を開けて出金してください。」というような案内画面を表示する。案内画面には、リサイクルカセットおよび出金ホッパ２３の「開錠ボタン」を表示させてもよい。リサイクルカセットおよび出金ホッパ２３の開錠は、現金処理装置１により操作者の認証を行った上で開錠制御するようにしてもよい。例えば、店員が所持するＩＤカードからカードリーダ部１２０により読み取ったＩＤ情報等により認証を行ってもよい。
【００８５】
次に、現金処理装置１は、店員がリサイクルカセットや出金ホッパ２３の扉を開けて直接出金が行われた際の「レジＩＤ」を取得する（ステップＳ２０７）。レジＩＤは、店員が所持するＩＤカードからカードリーダ部１２０により読み取ってもよいし、店員のＩＤに予め紐付けられたレジＩＤを管理装置４から取得してもよい（どの店員が現在どのレジスタを担当しているかを管理装置４により管理するようにしておいてもよい）。または、店員が操作表示部１１０を操作して手動で入力してもよい。
【００８６】
次いで、現金処理装置１は、取得したレジＩＤの直接出金に関し、出金枚数未取得状態であることを記憶部１６０に記憶する（ステップＳ２０９）。
【００８７】
そして、店員は、現金処理装置１の現金収納庫から直接取り出した釣銭準備金を釣銭機３まで運び、釣銭機３に補充する。釣銭機３において現金の補充が発生すると（ステップＳ２１２）、釣銭機３は、金種別の補充枚数情報（補充取引時に釣銭機３において計数した情報）をレジスタ２に送信する（ステップＳ２１５）。釣銭機３の補充取引では、紙幣であれば紙幣入出金口３１から、硬貨であれば硬貨投入口４０からそれぞれ投入され、紙幣鑑別部３４、硬貨鑑別部４１でそれぞれ鑑別および計数が行われ、紙幣収納庫３６ａ〜３６ｃ、硬貨収納庫４５ａ〜４５ｆにそれぞれ金種別に収納される。
【００８８】
次に、レジスタ２は、レジスタ２の識別情報であるレジＩＤと、金種別の補充枚数情報を、管理装置４に送信する（ステップＳ２１８）。
【００８９】
次いで、管理装置４は、受信した情報を記憶する（ステップＳ２２１）。なお管理装置４は、レジＩＤおよび金種別の補充枚数情報を、時間情報（補充時間または受信時間等）と共に記憶してもよい。
【００９０】
次に、管理装置４は、当該レジＩＤおよび金種別の補充枚数情報を現金処理装置１に送信する（ステップＳ２２４）。
【００９１】
以上説明したステップＳ２１２〜Ｓ２２４に示す処理は、現金処理装置１が取引制限中か否かに関わらず常に行うようにしてもよいし、現金処理装置１が取引制限中の場合にのみに行うようにしてもよい。
【００９２】
続いて、現金処理装置１は、管理装置４から受信したレジＩＤに該当するレジＩＤに関し、出金枚数未取得状態であるか否かを確認する（ステップＳ２２７）。
【００９３】
出金枚数未取得状態であった場合（ステップＳ２２７／Ｙｅｓ）、受信した金種別の補充枚数情報を、上記ステップＳ２０７において行われた現金収納庫（リサイクルカセット、出金ホッパ２３）からの直接出金の金種別枚数情報として使用する（ステップＳ２３０）。すなわち、現金処理装置１では入出金取引が制限され、現金収納庫から直接出金された現金を計数することができないが、釣銭機３で計数された金種別の補充枚数情報を、当該直接出金された現金の情報として用いることで、直接出金する現金の人手による計数や集計といった手間を省くことが可能となる。
【００９４】
なお、ここでは現金処理装置１から直接出金して釣銭機３に補充する場合について説明したが、本実施形態はこれに限定されず、出金する現金（釣銭準備金）は予め現金処理装置１から取り出して別装置で保管し、現金処理装置１では管理装置４から取得した補充枚数情報のみを扱うようにしてもよい。これにより、取引制限中の釣銭準備金は別で保管しつつも、すべての集計を現金処理装置１で行うことが可能となる。
【００９５】
また、現金処理装置１は、取引制限中ではない場合も（すなわち、出金枚数未取得状態でない場合も）管理装置４から補充枚数情報を取得し、現金処理装置１において（通常通り）釣銭出金取引を行った際の現金の計数結果と比較して一致しているか否かを確認するようにしてもよい。
【００９６】
＜６．変形例＞
本実施形態では、現金処理装置１と釣銭機３との間のデータの送受信が、レジスタ２および管理装置４（上位サーバ）を介して行われる場合について説明したが、本実施形態はこれに限定されず、釣銭機３と現金処理装置１を直接繋げてデータを送受信してもよい。
【００９７】
具体的には、釣銭機３から回収した現金（売上金および釣銭）を現金処理装置１に入金する場合は、釣銭機３の制御部３００は通信部３２０を介してレジＩＤ及び金種別の抜き取り枚数情報（回収取引時に釣銭機３において計数した情報）を現金処理装置１の通信部１３０に対して送信する。現金処理装置１は釣銭機３から受信したレジＩＤ及び金種別の抜き取り枚数情報を記憶部１６０に格納する。現金処理装置１は、ステップＳ１２７と同様に、扉を開けて直接入金が行われた際のレジＩＤと一致するレジＩＤに紐付けられた金種別の抜き取り枚数情報を直接入金された金種別枚数情報として使用する。
【００９８】
また、現金処理装置１から出金した釣銭準備金を釣銭機３に補充する場合は、釣銭機３の制御部３００は通信部３２０を介してレジＩＤ及び金種別の補充枚数情報（補充取引時に釣銭機３において計数した情報）を現金処理装置１の通信部１３０に対して送信する。現金処理装置１は釣銭機３から受信したレジＩＤ及び金種別の補充枚数情報を記憶部１６０に格納する。現金処理装置１は、ステップＳ２３０と同様に、扉を開けて直接出金が行われた際のレジＩＤと一致するレジＩＤに紐付けられた金種別の補充枚数情報を直接出金された金種別枚数情報として使用する。
【００９９】
さらに、現金処理装置１と釣銭機３との間のデータの送受信としては、レジ担当者が所持するＩＤカードに設けたＩＣタグ、もしくは現金の回収時や補充時に利用される収納庫に設けたＲＦＩＤタグ、また、レシートに印字された情報コードを利用して行ってもよい。具体的には、例えば釣銭機３から現金を回収する際に、レジＩＤ及び金種別の抜き取り枚数情報、もしくは、金種別の抜き取り枚数情報のみを、上記のタグや情報コードに格納し、現金処理装置１でこれらのタグや情報コードを読取ることで直接入金された金種別枚数情報を取得する。情報コードは、２次元コードや１次元コード（バーコード）であってもよい。
【０１００】
また、釣銭機３において、紙幣を回収する際は、紙幣収納庫３６ａ、３６ｂ、３６ｃに収納した紙幣を回収カセット３８へ搬送したが、これに限定されず、紙幣を紙幣収納庫３６ａ、３６ｂ、３６ｃから紙幣入出金口３１に搬送することで回収してもよい。
【０１０１】
また、釣銭機３において、紙幣を補充する際は、紙幣入出金口３１から紙幣収納庫３６ａ、３６ｂ、３６ｃへ紙幣を搬送したが、これに限定されず、回収カセット３８を、紙幣を補充するための補充庫として利用し、回収カセット３８から紙幣収納庫３６ａ、３６ｂ、３６ｃに紙幣を搬送することで補充してもよい。
【０１０２】
また、釣銭機３において、硬貨を回収する際は、硬貨収納庫４５ａ〜４５ｆに収納された硬貨を硬貨排出口４８へ搬送したが、これに限定されず、硬貨を回収するための回収庫をさらに設け、その回収庫に硬貨を搬送することで回収してもよい。
【０１０３】
また、釣銭機３において、硬貨を補充する際は、硬貨投入口４０から硬貨収納庫４５ａ〜４５ｆへ硬貨を搬送したが、これに限定されず、硬貨を補充するための補充庫をさらに設け、その補充庫から硬貨を硬貨収納庫４５ａ〜４５ｆへ搬送することで補充してもよい。
【０１０４】
＜７．その他の変形例＞
（７−１．鍵の開閉制御）
本実施形態による現金処理装置１は、入出金口が故障し、入金や出金の計数が実施できず、入出金取引が制限された場合、現金収納庫（リサイクルカセット、出金ホッパ２３）において直接現金を出金または入金を行えるよう、現金収納庫の開錠を制御する。具体的には、現金処理装置１は、開錠を誘導する画面を表示する。また、現金処理装置１は、操作者の権限を認証した上で開錠制御してもよい。
【０１０５】
（７−２．入出金枚数情報の手入力）
本実施形態による現金処理装置１は、直接入金または直接出金が行われた際に、かかる入出金における金種別枚数情報を、操作表示部１１０などのインターフェースを介して取得してもよい。レジ担当の店員は、直接入金する現金または直接出金した現金を、人手または別装置で計数し、その金種別枚数情報を操作表示部１１０から入力する。現金処理装置１は、入力された金種別枚数情報を記憶し、集計等を実施し得る。また、現金処理装置１は、かかる金種別枚数情報の取得の際、対応するレジＩＤ（直接入金された現金が回収されたレジスタのＩＤ、または直接出金された現金が補充されるレジスタのＩＤ）を店員のＩＤカード等から取得し、入力された金種別枚数情報と併せて記憶する。
【０１０６】
（７−３．臨時収納庫の追加）
また、本実施形態による現金処理装置１に、入出金取引が制限された際に直接現金を出し入れするための臨時の現金収納庫（以下、臨時収納庫）を追加してもよい。臨時収納庫は、紙幣収納庫、硬貨収納庫といったように、紙幣処理部１４０側および硬貨処理部１５０側にそれぞれ設けられる。
【０１０７】
通常利用する現金収納庫（リサイクルカセット（万券カセット１４、五千券カセット１５、千券カセット１６）、出金ホッパ２３）とは別に臨時収納庫を設けることで、取引制限中に入出金した現金と、取引制限前の現金とが混ざることを防止することができる。
【０１０８】
また、臨時収納庫を入出金口と繋げない構造としてもよい。これにより、搬送モータ等の触れると危険な部位が不要となるため、より安全に、現金の直接入出金を行うことが可能となる。
【０１０９】
なお、臨時収納庫を入出金口と繋げる構造としてもよい。これにより、取引制限解除後には、臨時収納庫に収納した現金を入出金口から出金したり、入出金口から臨時収納庫に現金を入金したりすることが可能となる。
【０１１０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１１】
例えば、上述した実施形態では、デパートやスーパーマーケット等の流通店舗の店頭に設置されるレジスタ２に接続された釣銭機３を、金銭取扱装置の一例として用いたが、本実施形態による金銭取扱装置はこれに限定されず、例えば金融機関、商業施設、高速道路の料金所、電車や飛行機、バス等の切符売り場で用いられる金銭取扱装置であってもよい。
【符号の説明】
【０１１２】
１  現金処理装置
１００  制御部
１１０  操作表示部
１２０  カードリーダ部
１３０  通信部
１４０  紙幣処理部
１１    紙幣入出金口
１２    紙幣一時保留部
１３    紙幣鑑別部
１４    万券カセット
１５    五千券カセット
１６    千券カセット
１７    回収カセット
１８    リジェクト部
１５０  硬貨処理部
１９    硬貨投入口
２０    硬貨鑑別部
２１    硬貨一時保留部
２２    硬貨返却箱
２３    出金ホッパ
２４    硬貨出金箱
２５    硬貨回収庫
１６０  記憶部
３  釣銭機
３００  制御部
３１０  操作表示部
３２０  通信部
３３０  紙幣処理部
３１    紙幣入出金口
３２    繰り出し手段
３３    紙幣搬送路
３４    紙幣鑑別部
３５    リジェクト収納部
３６ａ〜３６ｃ    紙幣収納庫
３８    回収カセット
３４０  硬貨処理部
４０    硬貨投入口
４１    硬貨鑑別部
４２    搬送部
４３    硬貨リジェクト口
４５ａ〜４５ｆ    硬貨収納庫
４７    搬送部
４８    硬貨排出口
３５０  記憶部
【図１】
2020194359.tif 000003
【図２】
2020194359.tif 000004
【図３】
2020194359.tif 000005
【図４】
2020194359.tif 000006
【図５】
2020194359.tif 000007
【図６】
2020194359.tif 000008
【図７】
2020194359.tif 000009
【図８】
2020194359.tif 000010